(57)【要約】【課題】外部電源を必要とせず、自動的に電源を遮断することができ、これにより節電効果が得られるようにする。【解決手段】押しボタンスイッチ１２を押すことでスイッチ回路１３が一時的に短絡し、これにより活性化された電源によって、ホトカプラ１１によるリモート制御信号がアクティブに維持される。この状態は、スイッチ回路１３の開放後も所定時間だけ維持され、それから所定時間の経過後、リモート制御信号がネガティブに反転する。これにより、従来回路に対してわずかな回路部品の追加で、外部電源３８を必要とせず、自動的に電源を遮断することができ、節電効果の大きな電源制御回路が実現できる。【選択図】　　　　図１
2004023918.tif 000002
【特許請求の範囲】
【請求項１】
電子装置の電源を自動的に遮断する電源制御回路において、リモート制御信号が入力されるホトカプラと、該ホトカプラの出力側に設けられた押しボタンスイッチを有するスイッチ回路と、該スイッチ回路を一時的に短絡して活性化した電源により、前記ホトカプラへのリモート制御信号をアクティブに維持する自己保持回路を備えることを特徴とする電源制御回路。
【請求項２】
リモート制御信号をネガティブに反転させる強制反転スイッチを有している請求項１記載の電源制御回路。
【請求項３】
前記電子装置の異常状態を検出する異常検出回路を有し、該異常検出回路の出力により、リモート制御信号をネガティブに反転する請求項１記載の電源制御回路。
【請求項４】
前記電子装置の状態を監視して、所定の時間何も操作が行われなかった場合には前記リモート制御信号をネガティブに反転させる制御回路を有していることを特徴とする請求項１記載の電源制御回路。
【発明の詳細な説明】
【０００１】
【発明の属する技術分野】
本発明は各種の電子機器の電源を２次側回路から活性あるいは遮断する電源制御回路に関する。
【０００２】
【従来の技術】
例えば、コピー機などの電子機器として、消費電力を節電するため、自動電源遮断機能を搭載したものが知られている。
【０００３】
一般的な自動電源遮断機能では動力系などの電源を制御するため、これとは別の電源と制御回路が用意されている。そのため動力系の電源遮断後も制御系の回路は動作を維持するようにしている。
【０００４】
次に、図５を参照して電源の制御回路を説明する。
図５に示す電源制御回路１００は一般的な電源制御回路で、商用電源から８５〜２６４Ｖの範囲内で５０Ｈｚまたは６０Ｈｚの交流電気が入力端子１０１に入力される。その後、この交流電気は電圧変換部１０２により所定電圧に変換され、２４Ｖなどの直流電気となって、出力端子１０３から動力系などの電源として出力される。
【０００５】
電圧変換部１０２の各回路は、制御部１０４により制御される。制御部１０４の作動は、５Ｖの外部電源によるリモート信号制御回路部１０５からのリモート制御信号をホトカプラ１０６で受けることでなされる。すなわち、ホトカプラ１０６では、リモート制御信号を発光ダイオード１０６ａにより光に変換し、それをホトトランジスタ１０６ｂによって再び電気信号に戻す。そして、この電気信号により制御部１０４が作動する。
【０００６】
【発明が解決しようとする課題】
しかしながら、従来の電源制御回路１００において制御系の回路１０５が、動力系など他の電源回路を切断後も遮断されないという構成にするためには、例えば制御回路１０５用の別電源を設置する必要がある。
【０００７】
本発明は、外部電源を必要とせずに電源を活性することが可能であり、さらに自動的に電源を遮断することができ、これにより節電効果が得られる電源制御回路を提供することを目的としている。また、本発明は、所定時間の経過前でも任意に電源を遮断することができる電源制御回路を提供することを目的としている。更に、本発明は、電子装置の異常時に電源を遮断することができる電源制御回路を提供することを目的としている。
【０００８】
【課題を解決するための手段】
かかる目的を達成するため、請求項１に記載の発明にかかる電源制御回路は、電子装置の電源を自動的に遮断する電源制御回路において、リモート制御信号が入力されるホトカプラと、該ホトカプラの出力側に設けられた押しボタンスイッチを有するスイッチ回路と、該スイッチ回路を一時的に短絡して活性化した電源により、前記ホトカプラからのリモート制御信号をアクティブに維持する自己保持回路とを備え、前記スイッチ回路の開放後も電源の出力が所定時間だけ維持され、該所定時間の経過後、前記リモート制御信号がネガティブに反転するようにしている。
【０００９】
したがって、ＯＮ側がモーメンタリーとなっているスイッチ（例えば押しボタンスイッチ）を押してホトカプラの出力を一時的に短絡すると、電源が活性化し、ホトカプラによるリモート制御信号がアクティブに維持される。この状態は、スイッチ回路の開放後も所定時間だけ維持され、それからこの所定時間の経過後、リモート制御信号がネガティブに反転する。これにより、外部電源を必要とせず、自動的に電源を遮断することができ、その結果、節電効果を得ることができる。
【００１０】
また、請求項２に記載の発明は、請求項１に記載の電源制御回路において、前記所定時間の経過前でも、リモート制御信号をネガティブに反転させる強制反転スイッチを有している。
【００１１】
したがって、上記所定時間の経過前であっても、強制反転スイッチをオンにすることで、リモート制御信号をネガティブに反転する。その結果、スイッチ回路の開放から所定時間が経過していない任意の時期に、電源を強制的に遮断することができる。
【００１２】
請求項３に記載の発明は、請求項２に記載の電源制御回路において、前記電子装置の異常状態を検出する異常検出回路を有し、該異常検出回路の出力により、リモート制御信号をネガティブに反転するようにしている。
【００１３】
したがって、電子装置の異常状態を異常検出回路が検出すると、リモート制御信号がネガティブに反転する。その結果、電子装置の異常時に電源を自動的に切断することができる。
【００１４】
【発明の実施の形態】
以下、本発明の構成を図面に示す実施形態に基づいて詳細に説明する。
図１〜図４に、本発明の電源制御回路の一実施形態を説明する。
【００１５】
図１に示すように、この電源制御回路１０は、交流一次電源からスイッチング方式によって直流二次電源を出力する電源回路である。その主な構成は、ホトカプラ１１と、ホトカプラ１１の出力側に設けられた押しボタンスイッチ１２を有するスイッチ回路１３と、スイッチ回路１３を一時的に短絡することで活性化した電源により、ホトカプラ１１からのリモート制御信号をアクティブに維持する自己保持回路１４（図３）とを備え、スイッチ回路１３の開放後も電源の出力が所定時間だけ維持され、この所定時間の経過後、リモート制御信号がネガティブに反転するように構成している。
【００１６】
この電源制御回路１０にあっては、商用電源から８５〜２６４Ｖの範囲内で５０Ｈｚまたは６０Ｈｚの交流電気が入力端子１５に入力される。その後、交流電気は、出力トランス（電圧変換部）１６により所定電圧に変換されてから整流され、２４Ｖなどの直流電気となって、出力端子１７から動力系などに出力される。
【００１７】
このとき、電圧変換部１６は、制御部１８により制御される。制御部１８の起動は、５Ｖの外部電源によるリモート信号制御回路部１９からのリモート制御信号が、ホトカプラ１１に入力されることでなされる（図３）。すなわち、ホトカプラ１１では、リモート制御信号を発光ダイオード１１ａにより光に変換し、それをホトトランジスタ１１ｂにより、再び電気信号に戻す。この電気信号によって制御部１８が作動する。ホトトランジタ１１ｂの端子には、スイッチ回路１３が接続されている。このスイッチ回路１３の途中部に押しボタンスイッチ１２が設けられている。
【００１８】
電源制御回路１０は、例えば図２に示すように、ノイズフィルタ２１、整流部２２、突入電流防止部２３、昇圧チョーク２４、電流検出抵抗２５、インバータ２６、制御部２７及び整流平滑部２８を経て整流平滑化された直流を出力トランス１６で交流昇圧させ、更に昇圧された交流電流を整流平滑部３３で直流電流に変換して出力端子１７から出力させるものである。インバータ３２による出力トランス１６の制御は、出力トランス１６に入力される直流電流値を検出する電流検出部２９からの電流検出信号と端子１７から出力される直流電流の過剰電圧状態を監視する過電圧保護部３４並びに過少電圧状態を監視する制御部３５からの信号に基づき制御部１８によって行われる。過電圧保護部３４と制御部３５とからの信号は、ホトカプラ３６，３７を介してそれぞれ制御部１８に入力される。
尚、図中の符号１５は入力端子、２０はヒューズである。
【００１９】
この電源制御回路１０によると、制御部１８の起動は、５Ｖの外部電源によるリモート信号制御回路部１９からのリモート制御信号が、ホトカプラ１１に入力されることでなされる。また、この電源制御回路１０では、リモート制御信号が発せられなくても、作業者などが押しボタンスイッチ１２を押すことで、フォトカプラ１１の出力側が短絡されて制御部１８が起動する。この押しボタンスイッチ１２は、操作パネルに取り付けられている。
【００２０】
次に、図３を参照して、このリモート信号制御回路部１９を詳細に説明する。このリモート信号制御回路部１９は、フリップフロップＩＣによる自己保持回路１４を有する。出力端子からリモート制御信号が出力される。また、／ＰＲ端子はＨに固定されている。また、／ＣＬＫ端子には電源監視信号（リセット信号）が入力され、リセット信号に同期して動作する。ＷＤＴ（ウオッチドックタイマー）による異常事態に対応したリセット信号とが入力される。さらに、／ＣＬＲ端子には、ＮＯＲ回路３９が接続されている。このＮＯＲ回路３９には、図示しない機器のＣＰＵからのリモートコントロール信号と、ＷＤＴ（ウオッチドックタイマー）による異常事態に対応した強制リセット信号とが入力される。この強制反転スイッチは、図示しない操作パネルに設けられている。
【００２１】
次に、図３の回路図および図４のタイムチャートを参照して、スイッチ回路１３を利用したリモート信号制御回路部１９の動作を説明する。
【００２２】
押しボタンスイッチを押すと、ホトカプラ１１の出力側が短絡されてリモート制御信号の状態にかかわりなくリモート信号がアクティブとなり、電源は活性化され、電源制御回路１４を含む装置の制御回路に電力が供給される。これにより制御回路のＣＰＵが動作し、リモート信号をアクティブに保持する。ホトカプラ１１の出力側が短絡され、リモート制御端子の状態にかかわりなくリモート制御信号が出力される。これにより、電源制御回路１０には外部電源３８からの二次電源が供給され、リセット信号がＨｉｇｈになると、リモート制御信号をＨｉｇｈレベルに維持する。このリモート制御信号を電源のリモート制御端子に接続すると、フォトカプラ１１の出力がアクティブに維持される。
【００２３】
その後、押しボタンスイッチ１２を開放したとしても、フォトカプラ１１の出力はアクティブのままである。そのため、二次電源出力は維持され、これにより機器の動作は持続される。
【００２４】
リモート信号制御回路部１９には、リモート制御信号をＬｏｗレベルに反転させる信号入力端子が設けられている。一本は機器のＣＰＵが出力する端子であり、所定時間経過後もしくは、強制反転スイッチが押し下げられたことを検出すると、リモート制御信号をオフにする信号を出力する。
【００２５】
もう一本は機器のＣＰＵによらず、異常を検出した際に、電源を遮断するためにモニタ回路が出力する信号である。
【００２６】
いずれかの信号が動作すると、この回路の場合Ｌｏｗになり、ホトカプラ１１もオフになって二次電源の出力が遮断される。
【００２７】
この二次電源が立ち下がる間、リモート信号制御回路部１９は、リモート制御信号をＬｏｗに維持し、この回路１９の不安定動作電圧領域でも、リモート制御信号をＨｉｇｈにすることはない。これにより、機器は安定して電源が遮断される。
【００２８】
また、待機状態において、電源は二次側が無負荷状態に維持される。そのため、この待機電流はわずかであり、大きな節電効果が得られる。
【００２９】
【発明の効果】
以上の説明により明らかなように、請求項１の発明にかかる電源制御回路によれば、押しボタンスイッチを押すことでスイッチ回路が一時的に短絡し、これにより活性化された電源によって、ホトカプラによるリモート制御信号がアクティブに維持される。この状態は、スイッチ回路の開放後も所定時間だけ維持され、それから所定時間の経過後、リモート制御信号がネガティブに反転する。これにより、従来回路に対してわずかな回路部品の追加で、外部電源を必要とせず、自動的に電源を遮断することができ、節電効果の大きな電源制御回路が実現できる。
【００３０】
また、請求項２に記載の発明にかかる電源制御回路によると、所定時間の経過前でも、リモート制御信号をネガティブに反転させる強制反転スイッチを有しているので、スイッチ回路の開放から所定時間が経過していない時期でも、強制的に電源を遮断することができる。
【００３１】
さらに、請求項３に記載の発明にかかる電源制御回路によると、異常検出回路が電子装置の異常状態を検出すると、リモート制御信号をネガティブに反転することができる。これにより、電子装置の異常時に電源を自動的に切断することができる。
【図面の簡単な説明】
【図１】本発明の電源制御回路の一実施形態を示す概略回路ブロック図である。
【図２】本発明の電源制御回路の一実施形態を示す詳細な回路ブロック図である。
【図３】リモート信号制御回路部の回路図である。
【図４】リモート信号制御回路部のタイムチャートである。
【図５】従来手段の電源制御回路を示す概略回路ブロック図である。
【符号の説明】
１０　電源制御回路
１１　ホトカプラ
１２　押しボタンスイッチ
１３　スイッチ回路
１４　自己保持回路
【図１】
2004023918.tif 000003
【図２】
2004023918.tif 000004
【図３】
2004023918.tif 000005
【図４】
2004023918.tif 000006
【図５】
2004023918.tif 000007